(57)【要約】  互換性（compatibility）を担保可能なウェイクアップ信号（ＷＵＳ：Wake-up signal）を設定できるユーザ端末、無線基地局、及び、無線通信方法を提供する。ユーザ端末は、第１のウェイクアップ信号に所定の多重化方式を用いて多重化されて送信された第２のウェイクアップ信号を受信する受信部を備える。また、ユーザ端末は、第２のウェイクアップ信号に関連付いた識別子を検出し、検出した前記識別子に関連付けられた制御信号の受信を制御する制御部、を備える。
2020065885.tif 000002
【特許請求の範囲】
【請求項１】
第１のウェイクアップ信号に所定の多重化方式を用いて多重化されて送信された第２のウェイクアップ信号を受信する受信部と、
前記第２のウェイクアップ信号に関連付けられた識別子を検出し、検出した前記識別子に関連付けられた制御信号の受信を制御する制御部と、
を備える、
ユーザ端末。
【請求項２】
前記多重化方式は、時分割多重化、符号分割多重化および周波数分割多重化の少なくとも１つである、
請求項１に記載のユーザ端末。
【請求項３】
時間軸および周波数軸の少なくとも１つにおける前記第２のウェイクアップ信号の位置は、前記第１のウェイクアップ信号の位置を基準に設定され、前記ユーザ端末に通知される、
請求項１に記載のユーザ端末。
【請求項４】
前記第２のウェイクアップ信号は、前記第１のウェイクアップ信号に用いられる系列を用いて生成されており、
前記制御部は、前記受信部において受信された前記第１のウェイクアップ信号を用いて、前記第２のウェイクアップ信号の前記識別子を検出する、
請求項１に記載のユーザ端末。
【請求項５】
前記制御部は、前記識別子と、前記第１のウェイクアップ信号の検出の有無に基づいて、前記制御信号の受信を制御する、
請求項１に記載のユーザ端末。
【請求項６】
第１のウェイクアップ信号に所定の多重化方式を用いて多重化された第２のウェイクアップ信号と、制御信号とを送信する送信部と、
前記第２のウェイクアップ信号に、識別子を関連付ける制御部と、
を備える、
無線基地局。
【請求項７】
第１のウェイクアップ信号に所定の多重化方式を用いて多重化されて送信された第２のウェイクアップ信号を受信し、
前記第２のウェイクアップ信号に関連付いた識別子を検出し、検出した前記識別子に関連付けられた制御信号の受信を制御する、
無線通信方法。
【発明の詳細な説明】
【技術分野】
【０００１】
本開示は、ユーザ端末、無線基地局、及び、無線通信方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
例えば、３ＧＰＰ（Third Generation Partnership Project）において、ユーザ端末（ＵＥ：User Equipment）の電力消費を抑制する技術検討が進められている。【０００４】
例えば、リリース１５（Ｒｅｌ．１５）では、ウェイクアップ信号（ＷＵＳ（Wake-up signal））が導入されている（例えば、非特許文献１）。
【先行技術文献】
【非特許文献】
【０００５】
【非特許文献１】3GPP TS 36.304, “User Equipment (UE) procedures in idle mode (Release 15)”, June 2018
【発明の概要】
【発明が解決しようとする課題】
【０００６】
しかしながら、ＷＵＳを導入する場合、後継のリリースなどとのバージョンの違いにおける互換性について検討の余地がある。【０００７】
本開示の目的は、互換性（compatibility）を担保可能なＷＵＳを設定できるユーザ端末、無線基地局、及び、無線通信方法を提供することにある。
【課題を解決するための手段】
【０００８】
本開示の一態様に係るユーザ端末は、第１のウェイクアップ信号に所定の多重化方式を用いて多重化されて送信された第２のウェイクアップ信号を受信する受信部と、前記第２のウェイクアップ信号に関連付けられた識別子を検出し、検出した前記識別子に関連付けられた制御信号の受信を制御する制御部と、を備える。【０００９】
本開示の一態様に係る無線基地局は、第１のウェイクアップ信号に所定の多重化方式を用いて多重化された第２のウェイクアップ信号と、制御信号とを送信する送信部と、前記第２のウェイクアップ信号に、識別子を関連付ける制御部と、を備える。【００１０】
本開示の一態様に係る無線通信方法は、第１のウェイクアップ信号に所定の多重化方式を用いて多重化されて送信された第２のウェイクアップ信号を受信し、前記第２のウェイクアップ信号に関連付いた識別子を検出し、検出した前記識別子に関連付けられた制御信号の受信を制御する。
【発明の効果】
【００１１】
本開示によれば、互換性（compatibility）を担保可能なＷＵＳを設定できる。
【図面の簡単な説明】
【００１２】
【図１】Ｒｅｌ．１５におけるＷＵＳの第１の例を示す図である。
【図２】Ｒｅｌ．１５におけるＷＵＳの第２の例を示す図である。
【図３】ＵＥグループ毎に設定されたＷＵＳの一例を示す図である。
【図４】一実施の形態に係る無線基地局の構成の一例を示すブロック図である。
【図５】一実施の形態に係るユーザ端末の構成の一例を示すブロック図である。
【図６】一実施の形態におけるＷＵＳの第１の例を示す図である。
【図７】一実施の形態におけるＷＵＳの第２の例を示す図である。
【図８】一実施の形態におけるＷＵＳの第３の例を示す図である。
【図９】一実施の形態におけるＷＵＳの第４の例を示す図である。
【図１０】一実施の形態におけるＷＵＳの第５の例を示す図である。
【図１１】一実施の形態におけるＷＵＳの第６の例を示す図である。
【図１２】一実施の形態におけるＷＵＳの第７の例を示す図である。
【図１３】一実施の形態におけるＷＵＳの第８の例を示す図である。
【図１４】一実施の形態におけるＷＵＳの第９の例を示す図である。
【図１５】一実施の形態における、Ｌ−ＷＵＳ（Legacy-WUS）とＡ−ＷＵＳ（Additional-WUS）とＵＥの動作の関係の第１の例を示す図である。
【図１６】一実施の形態における、Ｌ−ＷＵＳとＡ−ＷＵＳとＵＥの動作の関係の第２の例を示す図である。
【図１７】一実施の形態におけるＵＥグループと、ＷＵＳ  ＩＤとの関連付けの第１の例を示す図である。
【図１８】一実施の形態におけるＵＥグループと、ＷＵＳ  ＩＤとの関連付けの第２の例を示す図である。
【図１９】一実施の形態におけるＵＥグループと、ＷＵＳ  ＩＤとの関連付けの第３の例を示す図である。
【図２０】本開示に係る無線基地局及びユーザ端末のハードウェア構成の例を示す図である。
【発明を実施するための形態】
【００１３】
以下、本開示の実施の形態を、図面を参照して説明する。
【００１４】
（一実施の形態）
本実施の形態は、ＵＥの電力消費を抑えるための一手法であるウェイクアップ信号（Wake-Up signal：以下、「ＷＵＳ」と記載することがある）に関する。はじめに、ＷＵＳに関する背景を説明する。
【００１５】
５Ｇの標準化仕様策定において、リリース１５（Ｒｅｌ．１５）では、ＩｏＴ向けのＵＥの電力消費を抑えるために、ＷＵＳが導入されている。
【００１６】
なお、ＩｏＴ向けのＵＥは、ＮＢ−ＩｏＴ（Narrowband IoT）、または、ｅＭＴＣ（enhanced Machine Type Communication）向けのＵＥと称されてもよい。また、本開示におけるＵＥは、ＩｏＴ向けのＵＥに限定されない。例えば、本開示におけるＵＥは、ＮＲ向けのＵＥであってもよい。
【００１７】
図１は、Ｒｅｌ．１５におけるＷＵＳの第１の例を示す図である。図２は、Ｒｅｌ．１５におけるＷＵＳの第２の例を示す図である。
【００１８】
図１および図２の横軸は、時間を示し、縦軸は周波数を示す。図１および図２では、ＷＵＳと、ＷＵＳよりも後のタイミングに設定されるページングＰＤＣＣＨ（Paging Physical Downlink Control Channel）およびページングメッセージ（Paging message）とが示される。なお、ページングＰＤＣＣＨとページングメッセージとは、制御信号、ページング信号またはページング機会（Paging Occasion）と称されることがある。以下、ページング機会は、「ＰＯ」と略記されることがある。
【００１９】
図１では、リピティション無しのＰＯが設定され、１回のＰＯが存在する場合の例が示される。図２では、リピティション有りのＰＯが設定され、ＰＯが繰り返される場合の例が示される。
【００２０】
なお、図１および図２に示す、ページングＰＤＣＣＨとページングメッセージとのサイズは、一例であり、本開示はこれに限定されない。また、以降に示す図における、ページングＰＤＣＣＨとページングメッセージとのサイズも、図１および図２と同様に、一例であり、本開示はこれに限定されない。
【００２１】
図１および図２に示すＷＵＳおよびＰＯは、例えば、無線基地局が、待機モード（Idle mode）のユーザ端末に対して、「Ｗａｋｅ−ｕｐ」の指示を行う場合に送信する信号である。なお、待機モードのユーザ端末は、ＷＵＳの検出処理と、ＷＵＳの検出結果に応じたＰＯのモニタリンク処理とに基づいて、待機モードから、例えば、接続モード（Connected mode）へ移行する。
【００２２】
なお、待機モードとは、ユーザ端末が間欠的に無線基地局からの信号（下りリンク信号）を受信可能な状態であるモードを示す。接続モードとは、ユーザ端末が下りリンク信号を受信可能であり、かつ、ユーザ端末が無線基地局への信号（上りリンク信号）を送信可能な状態であるモードを示す。
【００２３】
本実施の形態における「待機モード」および「接続モード」という呼称は、ユーザ端末のモードの呼称の一例であり、本開示はこれに限定されない。また、ＷＵＳおよびＰＯが「Ｗａｋｅ−ｕｐ」の指示の一例であると説明したが、「Ｗａｋｅ−ｕｐ」という呼称は一例であり、本開示はこれに限定されない。
【００２４】
ユーザ端末は、ＷＵＳを検出した場合、ユーザ端末に関連付けられたＰＯをモニタする。また、ユーザ端末は、ＷＵＳを検出しない場合、ＰＯをモニタしなくてよい。ＰＯのモニタは、例えば、ページングＰＤＣＣＨの検出処理、および、ページングＰＤＣＣＨの検出結果に基づくページングメッセージの受信処理に相当する。ユーザ端末は、ＰＯをモニタすることによって、待機モードから、例えば、接続モードへ移行する。
【００２５】
図１および図２に示した、Ｒｅｌ．１５におけるＷＵＳでは、無線基地局のエリア内に存在するユーザ端末のうち、例えば、ＰＯに関連付けられた全てのユーザ端末がＷＵＳを検出することによって、接続モードへ移行する。この場合、接続モードへ移行しなくてもよいユーザ端末が接続モードへ移行してしまうため、ユーザ端末の電力消費が増加する可能性がある。
【００２６】
５Ｇの標準化仕様策定における議論の中で、リリース１６（Ｒｅｌ．１６）の段階において、ユーザ端末の電力消費を抑えるために、１つ以上のグループ（集合）がユーザ端末に対して設定され、グループ毎に関連付けたＷＵＳを設定することが検討されている。例えば、グループ毎にＷＵＳを設定する場合、無線基地局は、グループ毎に「Ｗａｋｅ−ｕｐ」の指示を行ってもよい。
【００２７】
なお、ユーザ端末に対して設定されるグループは、「ＵＥグループ（UE group）」と記載することがある。また、複数のＵＥグループを区別して説明する場合に、ＵＥグループにインデックスを付し、ＵＥグループ＃１（UE group#1）、ＵＥグループ＃２（UE group#2）およびＵＥグループ＃３（UE group#3）等と記載することがある。ＵＥグループに付されたインデックスは、ＵＥグループを識別する識別子に相当する、と捉えてもよい。ＵＥグループを識別する識別子は、「ＵＥグループＩＤ」と記載することがある。各ＵＥグループには、ＵＥグループＩＤが関連付けられている、と称されてもよい。
【００２８】
なお、ＵＥグループの決定方法、および、各ユーザ端末とＵＥグループとを関連付ける方法については、限定されない。また、ＵＥグループに含まれるユーザ端末の数は、１以上であればよい。また、ユーザ端末の属するＵＥグループを示す情報を、ユーザ端末へ通知する方法についても、限定されない。
【００２９】
また、「ＵＥグループ」および「ＵＥグループＩＤ」という呼称は、一例であり、本開示は、これに限定されない。ユーザ端末に対して設定されるグループは、例えば、「ユーザグループ」、「ＵＥセット」、「ユーザセット」等と称されてもよいし、他の呼称であってもよい。
【００３０】
図３は、ＵＥグループ毎に設定されたＷＵＳの一例を示す図である。
【００３１】
図３の横軸は、時間を示し、縦軸は周波数を示す。図３には、３つのＵＥグループそれぞれに設定されたＷＵＳのタイミングと、ＷＵＳよりも後のタイミングに設定されるＰＯとが示される。また、図３には、ＵＥグループ＃１に関連付けられたＷＵＳ（ＷＵＳ＃１）、ＵＥグループ＃２に関連付けられたＷＵＳ（ＷＵＳ＃２）、および、ＵＥグループ＃３に関連付けられたＷＵＳ（ＷＵＳ＃３）の送信タイミングが示される。そして、図３では、実線で示すように、ＷＵＳ＃３が設定されている。
【００３２】
例えば、ユーザ端末は、ＷＵＳを検出した場合、ユーザ端末の属するＵＥグループに関連付けられたＷＵＳか否かを決定する。そして、ユーザ端末は、検出したＷＵＳがユーザ端末の属するＵＥグループに関連付けられる場合、ＰＯをモニタする。
【００３３】
例えば、図３の場合、各ユーザ端末は、ＷＵＳ＃３を検出し、ＷＵＳ＃３がＵＥグループ＃３に関連付けられていると決定する。この場合、ＵＥグループ＃３に属するユーザ端末は、ＰＯをモニタする。ＵＥグループ＃３に属さないユーザ端末は、ＰＯをモニタしなくてもよい。なお、ユーザ端末が属するＵＥグループを示す識別情報は、例えば、無線基地局からユーザ端末に予め通知されてよい。
【００３４】
ＵＥグループ毎にＷＵＳが設定されることによって、例えば、待機モードから接続モードに移行しなくてもよいＵＥグループに属するユーザ端末が、接続モードへ移行することを避けられるため、ユーザ端末の電力消費を抑えることができる。
【００３５】
ここで、ＵＥグループ毎に設定されたＷＵＳを導入する場合、既に、Ｒｅｌ．１５におけるＷＵＳに対応したユーザ端末は、ＵＥグループ毎に設定されたＷＵＳを検出できない可能性がある。そのため、ＵＥグループ毎に設定されたＷＵＳを導入する場合、Ｒｅｌ．１５におけるＷＵＳとの後方互換性（backward compatibility）を担保することが求められる。
【００３６】
そこで、本開示では、ＵＥグループ毎にＷＵＳを設定する場合に、Ｒｅｌ．１５におけるＷＵＳとの後方互換性を担保可能なＷＵＳの設定を説明する。
【００３７】
なお、以下では、Ｒｅｌ．１５におけるＷＵＳは、レガシーＷＵＳ（Legacy-WUS）、または、「Ｌ−ＷＵＳ」と記載されることがある。また、Ｒｅｌ．１５に対応し、レガシーＷＵＳを受信するユーザ端末は、レガシーＵＥと記載されることがある。
【００３８】
また、以下では、ＵＥグループ毎に設定されるＷＵＳは、アディショナルＷＵＳ（Additional-WUS）、または、「Ａ−ＷＵＳ」と記載されることがある。なお、アディショナルＷＵＳは、Ｒｅｌ．１６−ＷＵＳと称されてもよい。また、Ａ−ＷＵＳには、互いに異なるＡ−ＷＵＳを識別する識別子が関連付けられてよい。例えば、Ａ−ＷＵＳの識別子は、「ＷＵＳ  ＩＤ」と記載されることがある。例えば、Ａ−ＷＵＳ＃ｉ（ｉは１以上の整数）は、ＷＵＳ  ＩＤが「ｉ」のＡ−ＷＵＳを表す。
【００３９】
なお、ＵＥグループＩＤとＷＵＳ  ＩＤとは、１対１で関連付けられてよい。ＵＥグループＩＤとＷＵＳ  ＩＤとが１対１で関連付けられる場合、ＵＥグループ＃ｉに関連付けられるＡ−ＷＵＳは、Ａ−ＷＵＳ＃ｉと記載されることがある。また、「ＷＵＳ  ＩＤ」という呼称は、一例であり、本開示はこれに限定されない。
【００４０】
また、Ｒｅｌ．１６に対応し、アディショナルＷＵＳを受信するユーザ端末は、Ｒｅｌ．１６−ＵＥと記載されることがある。なお、Ｒｅｌ．１６−ＵＥは、Ａ−ＷＵＳに加えて、レガシーＷＵＳも検出できるとしてよい。
【００４１】
次に、本実施の形態に係る無線通信システムについて説明する。
【００４２】
本実施の形態に係る無線通信システムは、図４に示す無線基地局１０（例えば、ｅＮＢ（ｅＮｏｄｅＢ）またはｇＮＢ（ｇＮｏｄｅＢ）とも呼ばれる）、及び、図５に示すユーザ端末２０（例えば、ＵＥとも呼ばれる）を備える。ユーザ端末２０は、無線基地局１０と無線接続（無線アクセス）される。なお、以下では、無線基地局１０は、基地局１０と略記されることがある。
【００４３】
なお、以下に説明する無線基地局１０およびユーザ端末２０の構成は、本実施の形態に関連する機能の一例を示すものである。無線基地局１０およびユーザ端末２０には、図示しない機能を有してもよい。また、本実施の形態に係る動作を実行する機能であれば、機能区分、および／または、機能部の名称は限定されない。
【００４４】
図４は、本実施の形態に係る無線基地局１０の構成の一例を示すブロック図である。無線基地局１０は、送信部１０１と、受信部１０２と、制御部１０３と、を含む。
【００４５】
送信部１０１は、上位レイヤの信号から、物理レイヤの各種信号を生成し、生成した信号（下りリンク信号）をユーザ端末２０へ送信する処理を行う。例えば、送信部１０１は、制御部１０３の制御により、下りリンク信号を送信する。下りリンク信号には、例えば、ＷＵＳ、ページングＰＤＣＣＨにマッピングされた信号、および、ページングメッセージが含まれてよい。
【００４６】
受信部１０２は、ユーザ端末２０から信号（上りリンク信号）を受信し、受信した物理レイヤの上りリンク信号から、上位レイヤの信号を取得する処理を行う。
【００４７】
制御部１０３は、送信部１０１における送信処理の制御、および、受信部１０２における受信処理の制御を行う。例えば、制御部１０３は、送信部１０１における、ＷＵＳ、ページングＰＤＣＣＨの信号、および、ページングメッセージの送信処理を制御する。例えば、制御部１０３は、ＷＵＳ、ページングＰＤＣＣＨの信号、および、ページングメッセージの送信が実行されるように送信部１０１を制御する。
【００４８】
図５は、本実施の形態に係るユーザ端末２０の構成の一例を示すブロック図である。ユーザ端末２０は、送信部２０１と、受信部２０２と、制御部２０３と、を含む。
【００４９】
送信部２０１は、上位レイヤの信号から、物理レイヤの各種信号を生成し、生成した上りリンク信号を無線基地局１０へ送信する処理を行う。
【００５０】
受信部２０２は、無線基地局１０から下りリンク信号を受信し、受信した物理レイヤの下りリンク信号から、上位レイヤの信号を取得する処理を行う。例えば、受信部２０２は、制御部２０３の制御により、下りリンク信号を受信する。
【００５１】
制御部２０３は、送信部２０１における送信処理の制御、および、受信部２０２における受信処理の制御を行う。例えば、制御部２０３は、ＷＵＳの検出処理を行い、ＷＵＳの検出処理の結果に基づいて、受信部２０２におけるＰＯのモニタリング処理を制御する。また、制御部２０３は、ＰＯのモニタリング処理の結果に基づいて、ユーザ端末２０における送受信状態を、待機モードから、例えば、接続モードへ移行する制御を行う。
【００５２】
なお、ユーザ端末２０における、ＷＵＳの検出処理については後述する。
【００５３】
次に、Ｒｅｌ．１５におけるＷＵＳ（Ｌ−ＷＵＳ）との後方互換性を担保するＷＵＳの設定方法を説明する。
【００５４】
図６は、本実施の形態におけるＷＵＳの第１の例を示す図である。
【００５５】
図６の横軸は、時間を示し、縦軸は周波数を示す。図６では、Ｌ−ＷＵＳと、Ｌ−ＷＵＳよりも後のタイミングに設定されるＡ−ＷＵＳ＃１〜＃３と、Ａ−ＷＵＳ＃１〜＃３よりも後のタイミングに設定されるＰＯと、が示される。なお、Ｌ−ＷＵＳおよびＡ−ＷＵＳ＃１〜＃３は、ＰＯに関連付けられている。また、図６において、ＵＥグループＩＤとＷＵＳ  ＩＤとは、１対１で関連付けられる例を示す。例えば、Ａ−ＷＵＳ＃１はＵＥグループ＃１に関連付けられ、Ａ−ＷＵＳ＃２はＵＥグループ＃２に関連付けられ、Ａ−ＷＵＳ＃３はＵＥグループ＃３に関連付けられる。
【００５６】
図６では、Ｌ−ＷＵＳとＡ−ＷＵＳとが、時分割多重（ＴＤＭ：Time Division Multiplexing）される例が示される。
【００５７】
Ｌ−ＷＵＳのタイミング（時間軸上の位置）は、既存のシグナリングによって設定される。既存のシグナリングとは、例えば、Ｒｅｌ．１５において規定されたシグナリングであってもよい。
【００５８】
そして、Ａ−ＷＵＳのタイミングは、Ｌ−ＷＵＳとＡ−ＷＵＳとの間の時間オフセットによって示されてよい。時間オフセットは、Ａ−ＷＵＳ＃１、Ａ−ＷＵＳ＃２およびＡ−ＷＵＳ＃３それぞれについて独立して設けられてもよい。Ｌ−ＷＵＳとＡ−ＷＵＳとの間の時間オフセットは、ユーザ端末（例えば、Ｒｅｌ．１６−ＵＥ）２０に通知されてもよい。
【００５９】
あるいは、Ａ−ＷＵＳのタイミングは、時間軸上の位置（タイミング）のパターンによって示されてよい。例えば、時間軸上の位置のパターンは、複数のパターンの候補の中から設定されてもよい。Ａ−ＷＵＳの時間軸上の位置のパターンは、Ｌ−ＷＵＳのタイミングを基準に設定され、ユーザ端末（例えば、Ｒｅｌ．１６−ＵＥ）２０に通知されてもよい。
【００６０】
図７は、本実施の形態におけるＷＵＳの第２の例を示す図である。
【００６１】
図７の横軸は、時間を示し、縦軸は周波数を示す。図７では、Ｌ−ＷＵＳと、Ｌ−ＷＵＳと同一の時間（例えば、同一のシンボル）に設定されるＡ−ＷＵＳ＃１〜＃３と、Ｌ−ＷＵＳよりも後のタイミングに設定されるＰＯと、が示される。なお、Ｌ−ＷＵＳおよびＡ−ＷＵＳは、ＰＯに関連付けられている。また、図７において、ＵＥグループＩＤとＷＵＳ  ＩＤとは、１対１で関連付けられる例を示す。例えば、ＷＵＳ＃１はＵＥグループ＃１に関連付けられ、ＷＵＳ＃２はＵＥグループ＃２に関連付けられ、ＷＵＳ＃３はＵＥグループ＃３に関連付けられる。
【００６２】
図７では、Ｌ−ＷＵＳとＡ−ＷＵＳとが、同一のタイミング（例えば、同一のシンボル）において符号分割多重（ＣＤＭ：Code Division Multiplexing）される例が示される。
【００６３】
Ｌ−ＷＵＳのタイミング（時間軸上の位置）は、既存のシグナリングによって設定される。この場合、Ａ−ＷＵＳを受信するユーザ端末（Ｒｅｌ．１６−ＵＥ）２０は、Ｌ−ＷＵＳを受信するユーザ端末（レガシーＵＥ）２０と同様に、既存のシグナリングによって設定されたＬ−ＷＵＳのタイミングにおいて、Ａ−ＷＵＳを受信する。
【００６４】
なお、Ａ−ＷＵＳのパターン（例えば、ＣＤＭの直交系列のパターン）は、Ｌ−ＷＵＳの系列を基準に設定され、ユーザ端末（例えば、Ｒｅｌ．１６−ＵＥ）２０に通知されてもよい。
【００６５】
図８は、本実施の形態におけるＷＵＳの第３の例を示す図である。
【００６６】
図８の横軸は、時間を示し、縦軸は、周波数を示す。図８では、Ｌ−ＷＵＳと、Ｌ−ＷＵＳと同一の時間（例えば、同一のシンボル）に設定されるＡ−ＷＵＳ＃１〜＃３と、Ｌ−ＷＵＳよりも後のタイミングに設定されるＰＯと、が示される。なお、Ｌ−ＷＵＳおよびＡ−ＷＵＳは、ＰＯに関連付けられている。また、図８において、ＵＥグループＩＤとＷＵＳ  ＩＤとは、１対１で関連付けられる例を示す。例えば、ＷＵＳ＃１はＵＥグループ＃１に関連付けられ、ＷＵＳ＃２はＵＥグループ＃２に関連付けられ、ＷＵＳ＃３はＵＥグループ＃３に関連付けられる。
【００６７】
図８では、Ｌ−ＷＵＳとＡ−ＷＵＳとが、周波数分割多重（ＦＤＭ：Frequency Division Multiplexing）される例が示される。
【００６８】
Ｌ−ＷＵＳのタイミング（時間軸上の位置）は、既存のシグナリングによって設定される。また、Ｌ−ＷＵＳの周波数（周波数軸上の位置）は、既存のシグナリングによって設定される。既存のシグナリングとは、例えば、Ｒｅｌ．１５において規定されたシグナリングであってもよい。この場合、Ａ−ＷＵＳを受信するユーザ端末（Ｒｅｌ．１６−ＵＥ）２０は、Ｌ−ＷＵＳを受信するユーザ端末（レガシーＵＥ）２０と同様に、既存のシグナリングによって設定されたＬ−ＷＵＳのタイミングにおいて、Ａ−ＷＵＳを受信する。
【００６９】
そして、Ａ−ＷＵＳの周波数（周波数軸上の位置）は、Ｌ−ＷＵＳとＡ−ＷＵＳとの間の周波数オフセットによって示されてよい。周波数オフセットは、Ａ−ＷＵＳ＃１、Ａ−ＷＵＳ＃２およびＡ−ＷＵＳ＃３それぞれについて独立して設けられてもよい。Ｌ−ＷＵＳとＡ−ＷＵＳとの間の周波数オフセットは、ユーザ端末（例えば、Ｒｅｌ．１６−ＵＥ）２０に通知されてもよい。
【００７０】
あるいは、Ａ−ＷＵＳの周波数は、周波数軸上の位置のパターンによって示されてよい。例えば、周波数軸上の位置のパターンは、複数のパターンの候補の中から設定されてもよい。Ａ−ＷＵＳの周波数軸上の位置のパターンは、Ｌ−ＷＵＳの周波数を基準に設定され、ユーザ端末（例えば、Ｒｅｌ．１６−ＵＥ）２０に通知されてもよい。
【００７１】
図６および図８を用いて示したように、時間軸および周波数軸の少なくとも１つにおけるＡ−ＷＵＳの位置が、Ｌ−ＷＵＳの位置を基準に設定されてよい。そして、Ｌ−ＷＵＳの位置を基準に設定されたＡ−ＷＵＳの位置を示す情報は、ユーザ端末（例えば、Ｒｅｌ．１６−ＵＥ）２０に通知されてよい。この通知を用いることによって、ユーザ端末（例えば、Ｒｅｌ．１６−ＵＥ）２０は、既存のシグナリングによって通知されるＬ−ＷＵＳの位置を基準に、Ａ−ＷＵＳの位置を設定できる。なお、Ａ−ＷＵＳの位置の通知方法は、これに限定されない。
【００７２】
なお、図８では、Ａ−ＷＵＳ＃１〜＃３が、Ｌ−ＷＵＳよりも高い周波数に設定される例を示したが、Ａ−ＷＵＳは、Ｌ−ＷＵＳよりも低い周波数に設定されてもよい。また、複数のＡ−ＷＵＳのうち、いずれか少なくとも１つが、Ｌ−ＷＵＳよりも低い周波数に設定され、残りの少なくとも１つが、Ｌ−ＷＵＳよりも高い周波数に設定されてもよい。
【００７３】
なお、上述した例では、Ｌ−ＷＵＳとＡ−ＷＵＳとが、ＴＤＭ、ＣＤＭまたはＦＤＭによって多重される例を示したが、本開示は、これに限定されない。Ｌ−ＷＵＳとＡ−ＷＵＳとが、複数の多重化方式の組み合わせによって多重されてもよい。
【００７４】
例えば、複数のＡ−ＷＵＳの間には、ＣＤＭが用いられ、ＣＤＭを用いて多重されたＡ−ＷＵＳとＬ−ＷＵＳとの間には、ＴＤＭが用いられてもよい。あるいは、複数のＡ−ＷＵＳの間には、ＦＤＭが用いられ、ＦＤＭを用いて多重されたＡ−ＷＵＳとＬ−ＷＵＳとの間には、ＴＤＭが用いられてもよい。あるいは、複数のＡ−ＷＵＳの間には、ＣＤＭが用いられ、ＣＤＭを用いて多重されたＡ−ＷＵＳとＬ−ＷＵＳとの間には、ＦＤＭが用いられてもよい。
【００７５】
別言すれば、Ｌ−ＷＵＳと複数のＡ−ＷＵＳとを多重する場合に、複数のＡ−ＷＵＳそれぞれの間に用いられる多重化方式と、Ｌ−ＷＵＳと複数のＡ−ＷＵＳとの間に用いられる多重化方式とは、同一であってもよいし、異なっていてもよい。
【００７６】
あるいは、複数のＡ−ＷＵＳそれぞれの間において、１つの多重化方式が用いられる例に限られない。複数のＡ−ＷＵＳそれぞれの間において、複数の多重化方式が用いられてもよい。
【００７７】
例えば、Ａ−ＷＵＳ＃１〜＃４のうち、Ａ−ＷＵＳ＃１とＡ−ＷＵＳ＃２との間、および、Ａ−ＷＵＳ＃３とＡ−ＷＵＳ＃４との間には、ＣＤＭが用いられてよい。そして、Ａ−ＷＵＳ＃１（およびＡ−ＷＵＳ＃２）とＡ−ＷＵＳ＃３（およびＡ−ＷＵＳ＃４）との間には、ＴＤＭが用いられてもよい。
【００７８】
以上、説明したように、本実施の形態では、Ｒｅｌ．１６−ＵＥであるユーザ端末２０が、Ｌ−ＷＵＳ（第１のウェイクアップ信号）に所定の多重化方式を用いて多重化されて送信されたＡ−ＷＵＳ（第２のウェイクアップ信号）を受信する受信部１０２と、Ａ−ＷＵＳに関連付いた識別子を検出し、検出した識別子に関連付けられたＰＯ（ページング信号）の受信を制御する制御部１０３と、を備える。所定の多重化方式を用いてＬ−ＷＵＳとＡ−ＷＵＳとが多重されることによって、後方互換性を担保可能なＷＵＳが設定される。例えば、Ｌ−ＷＵＳとＡ−ＷＵＳとが多重されることによって、レガシーＵＥのユーザ端末２０は、Ｌ−ＷＵＳを検出でき、Ｒｅｌ．１６−ＵＥのユーザ端末２０は、Ａ−ＷＵＳを検出できる。
【００７９】
また、Ｌ−ＷＵＳとＡ−ＷＵＳとが多重されることによって、Ｒｅｌ．１６−ＵＥのユーザ端末２０は、Ｌ−ＷＵＳを用いてチャネル推定を行うことができる。そして、Ｒｅｌ．１６−ＵＥのユーザ端末２０は、チャネル推定の結果を用いて、Ａ−ＷＵＳを検出できるため、Ａ−ＷＵＳの検出精度を向上できる。
【００８０】
なお、上述したように、Ａ−ＷＵＳはＵＥグループ毎に設定されるため、ＵＥグループの数が増加した場合にＡ−ＷＵＳに用いられる系列の数が増加する可能性がある。Ａ−ＷＵＳに用いられる系列の数が増加した場合、Ｒｅｌ．１６−ＵＥのユーザ端末２０は、受信したＡ−ＷＵＳに関連付けられたＵＥグループを決定するための検出処理に係る負荷が増加したり、検出を失敗する確率が高まる可能性がある。例えば、Ａ−ＷＵＳの検出が失敗した場合、誤ったＵＥグループの検出、すなわち誤検出（false alarm）が発生したりする可能性がある。
【００８１】
そこで、以下では、ＵＥグループ毎に設定されるＡ−ＷＵＳの検出処理に係る負荷、および／または、検出を失敗する確率を低減する方法を説明する。
【００８２】
図９は、本実施の形態におけるＷＵＳの第４の例を示す図である。
【００８３】
図９の横軸は、時間を示し、縦軸は周波数を示す。図９では、Ｌ−ＷＵＳと、Ｌ−ＷＵＳよりも後のタイミングに設定されるＡ−ＷＵＳと、Ａ−ＷＵＳよりも後のタイミングに設定されるＰＯと、が示される。なお、Ｌ−ＷＵＳおよびＡ−ＷＵＳは、ＰＯに関連付けられている。
【００８４】
そして、Ｌ−ＷＵＳとＡ−ＷＵＳとにおいて、周波数方向において区切られた１つの矩形は、例えば、１つのリソースエレメント（ＲＥ：Resource Element）を示す。１つのＲＥの周波数方向の幅は、１サブキャリアに相当し、時間方向の幅は、１シンボルに相当する。図９において、Ｌ−ＷＵＳおよびＡ−ＷＵＳは、それぞれ、例えば、１２サブキャリアの周波数方向の幅を有する。なお、ＷＵＳのサブキャリア数は、１２サブキャリアに限定されず、１１サブキャリア以下であってもよいし、１３サブキャリア以上であってもよい。
【００８５】
図９において、Ｌ−ＷＵＳとＡ−ＷＵＳに含まれる各ＲＥの表示態様は、ＷＵＳに用いられた系列の要素の一例を示す。例えば、同一の表示態様は、ＷＵＳに用いられた系列の要素が同一であることを示す。図９に示すＬ−ＷＵＳとＡ−ＷＵＳとは、同一の系列が用いられている。
【００８６】
そして、Ａ−ＷＵＳ＃１〜＃３のそれぞれに関連付けられるＵＥグループは、ＵＥグループＩＤによって識別される。図９において、ＵＥグループＩＤは、Ｌ−ＷＵＳとＡ−ＷＵＳとの間の位相差によって示される。
【００８７】
例えば、図９のＡ−ＷＵＳ＃１は、Ｌ−ＷＵＳに対して、θ１の位相差を有し、Ａ−ＷＵＳ＃２は、Ｌ−ＷＵＳに対して、θ２の位相差を有し、Ａ−ＷＵＳ＃３は、Ｌ−ＷＵＳに対して、θ３の位相差を有する。θ１、θ２およびθ３は、互いに異なっている。
【００８８】
Ｒｅｌ．１６−ＵＥは、Ｌ−ＷＵＳを受信し、Ｌ−ＷＵＳを用いてチャネル推定を行う。Ｒｅｌ．１６−ＵＥは、チャネル推定結果に基づいて、Ａ−ＷＵＳとＬ−ＷＵＳとの間の位相差を推定する。そして、Ｒｅｌ．１６−ＵＥは、推定した位相差がＲｅｌ．１６−ＵＥの属するＵＥグループのＵＥグループＩＤに対応する位相差である場合、受信したＡ−ＷＵＳがＲｅｌ．１６−ＵＥの属するＵＥグループに関連付けられていると決定する。Ｒｅ．１６のＵＥは、受信したＡ−ＷＵＳがＲｅｌ．１６−ＵＥの属するＵＥグループに関連付けられている場合、Ａ−ＷＵＳの後に続くＰＯのモニタを行う。
【００８９】
Ｒｅｌ．１６−ＵＥは、Ｌ−ＷＵＳを用いて推定したチャネル推定結果を用いることにより、例えば、チャネル変動に起因した位相変動の影響を抑制でき、Ａ−ＷＵＳとＬ−ＷＵＳとの間の位相差の推定の精度を向上できる。また、Ｌ−ＷＵＳとＡ−ＷＵＳとの間で同一の系列が用いられるため、検出処理を簡易にできる。そのため、ロバストで簡易なＡ−ＷＵＳの検出処理を行うことができる。
【００９０】
なお、Ｒｅｌ．１６−ＵＥは、Ｌ−ＷＵＳとＡ−ＷＵＳとの比較に基づく算出処理によって、位相差の推定を行ってもよい。例えば、Ｒｅｌ．１６−ＵＥは、Ｌ−ＷＵＳとＡ−ＷＵＳとの相互相関を算出し、算出結果を位相差の推定に用いてもよい。相互相関の算出結果を位相差の推定に用いることによって、Ｌ−ＷＵＳとＡ−ＷＵＳとの受信時に生じるフェージングの影響を抑圧し、ＷＵＳの検出性能の改善を図ることができる。なお、上述では、Ｌ−ＷＵＳとＡ−ＷＵＳとの比較に基づく算出処理の一例が、相互相関であると説明したが、本開示はこれに限定されない。
【００９１】
なお、Ｒｅｌ．１６−ＵＥにおけるＡ−ＷＵＳの検出処理は、上述した例に限定されない。Ｒｅｌ．１６−ＵＥは、Ａ−ＷＵＳの検出処理において、Ｌ−ＷＵＳを用いたチャネル推定結果を用いなくてもよいし、Ａ−ＷＵＳとＬ−ＷＵＳとの比較を行わなくてもよい。
【００９２】
図１０は、本実施の形態におけるＷＵＳの第５の例を示す図である。
【００９３】
図１０の横軸は、時間を示し、縦軸は周波数を示す。図１０では、Ｌ−ＷＵＳと、Ｌ−ＷＵＳよりも後のタイミングに設定されるＡ−ＷＵＳと、Ａ−ＷＵＳよりも後のタイミングに設定されるＰＯと、が示される。なお、Ｌ−ＷＵＳおよびＡ−ＷＵＳは、ＰＯに関連付けられている。
【００９４】
そして、Ｌ−ＷＵＳとＡ−ＷＵＳとにおいて、周波数方向において区切られた１つの矩形は、図９と同様に、例えば、１つのＲＥを示す。
【００９５】
図１０において、Ｌ−ＷＵＳとＡ−ＷＵＳに含まれる各ＲＥの表示態様は、ＷＵＳに用いられた系列の要素の一例を示す。例えば、同一の表示態様は、ＷＵＳに用いられた系列の要素が同一であることを示す。図１０に示すＬ−ＷＵＳとＡ−ＷＵＳとは、同一の系列が用いられている。
【００９６】
そして、Ａ−ＷＵＳ＃１〜＃３のそれぞれに関連付けられるＵＥグループは、ＵＥグループＩＤによって識別される。図１０において、ＵＥグループＩＤは、Ｌ−ＷＵＳとＡ−ＷＵＳとの間の周波数方向におけるシフト量（サブキャリアのシフト量）によって示される。
【００９７】
例えば、図１０のＡ−ＷＵＳ＃１は、Ｌ−ＷＵＳを１サブキャリア分シフトしたＷＵＳである。Ａ−ＷＵＳ＃２は、Ｌ−ＷＵＳを２サブキャリア分シフトしたＷＵＳである。Ａ−ＷＵＳ＃３は、Ｌ−ＷＵＳを３サブキャリア分シフトしたＷＵＳである。なお、図１０では、１サブキャリアずつシフトする例を示すが、シフトする量は２サブキャリア以上であってもよい。
【００９８】
Ｒｅｌ．１６−ＵＥは、Ｌ−ＷＵＳを受信し、Ｌ−ＷＵＳを用いてチャネル推定を行う。Ｒｅｌ．１６−ＵＥは、チャネル推定結果に基づいて、Ｌ−ＷＵＳとＡ−ＷＵＳとの間のサブキャリアのシフト量を推定する。Ｒｅｌ．１６−ＵＥは、推定したシフト量がＲｅｌ．１６−ＵＥの属するＵＥグループのＵＥグループＩＤに対応するシフト量である場合、受信したＡ−ＷＵＳがＲｅｌ．１６−ＵＥの属するＵＥグループに関連付けられていると決定する。Ｒｅ．１６のＵＥは、受信したＡ−ＷＵＳがＲｅｌ．１６−ＵＥの属するＵＥグループに関連付けられている場合、Ａ−ＷＵＳの後に続くＰＯのモニタを行う。
【００９９】
Ｒｅｌ．１６−ＵＥは、Ｌ−ＷＵＳを用いて推定したチャネル推定結果を用いて、Ａ−ＷＵＳとＬ−ＷＵＳとの間のサブキャリアのシフト量を推定できるため、ロバストで簡易なＡ−ＷＵＳの検出処理を行うことができる。
【０１００】
なお、Ｒｅｌ．１６−ＵＥにおけるＡ−ＷＵＳの検出処理は、上述した例に限定されない。Ｒｅｌ．１６−ＵＥは、Ａ−ＷＵＳの検出処理において、Ｌ−ＷＵＳを用いたチャネル推定結果を用いなくてもよい。
【０１０１】
なお、上述では、ＵＥグループＩＤが、Ｌ−ＷＵＳとＡ−ＷＵＳとの間の位相差によって示される例と、Ｌ−ＷＵＳとＡ−ＷＵＳとの間の周波数方向におけるシフト量（サブキャリアのシフト量）によって示される例とを示したが、本開示はこれらに限定されない。例えば、ＵＥグループＩＤが、Ｌ−ＷＵＳとＡ−ＷＵＳとの間の位相差、および、Ｌ−ＷＵＳとＡ−ＷＵＳとの間の周波数方向におけるシフト量の組み合わせによって示されてもよい。
【０１０２】
なお、ＵＥグループＩＤが位相差とシフト量との組み合わせによって示される場合、Ｒｅｌ．１６−ＵＥは、上述した検出処理を組み合わせることによって、Ａ−ＷＵＳに関連付けられたＵＥグループＩＤを推定してもよい。
【０１０３】
また、図９および図１０では、Ａ−ＷＵＳが、Ｌ−ＷＵＳと同一のサイズ（同数のＲＥ）を有する例を示したが、Ａ−ＷＵＳは、Ｌ−ＷＵＳと異なるサイズ（異なる数のＲＥ）を有してもよい。例えば、Ａ−ＷＵＳは、Ｌ−ＷＵＳよりも小さいサイズ（Ｌ−ＷＵＳよりも少ない数のＲＥ）を有してもよい。この場合、Ａ−ＷＵＳは、Ｌ−ＷＵＳに用いられる系列の一部の要素を削減した部分系列を用いてもよい。
【０１０４】
図１１は、本実施の形態におけるＷＵＳの第６の例を示す図である。
【０１０５】
図１１のＡ−ＷＵＳ＃１〜＃３は、それぞれ、図９のＡ−ＷＵＳ＃１〜＃３から、低周波数側と高周波数側において２つずつのＲＥが削減されている。
【０１０６】
図１１のように、ＲＥが削減された場合でも、図９と同様に、Ａ−ＷＵＳは、Ｌ−ＷＵＳの系列の一部を用いているため、ロバストで簡易なＡ−ＷＵＳの検出処理を行うことができる。また、Ａ−ＷＵＳに用いられるＲＥが削減されることによって、リソース量を削減でき、Ａ−ＷＵＳの簡易な検出をおこなうことができる。
【０１０７】
図１２は、本実施の形態におけるＷＵＳの第７の例を示す図である。
【０１０８】
図１２のＡ−ＷＵＳ＃１〜＃３は、それぞれ、図１０のＡ−ＷＵＳ＃１〜＃３から、低周波数側と高周波数側において２つずつのＲＥが削減されている。
【０１０９】
図１２のように、ＲＥが削減された場合でも、図１０と同様に、Ａ−ＷＵＳは、Ｌ−ＷＵＳの系列の一部を用いているため、Ｌ−ＷＵＳとＡ−ＷＵＳとの相互相関を算出することによって、Ｌ−ＷＵＳとＡ−ＷＵＳとの間のサブキャリアのシフト量を推定できる。そのため、ロバストで簡易なＡ−ＷＵＳの検出処理を行うことができる。また、Ａ−ＷＵＳに用いられるＲＥが削減されることによって、リソース量を削減でき、Ａ−ＷＵＳの簡易な検出をおこなうことができる。
【０１１０】
なお、図１１および図１２では、低周波数側と高周波数側において同数のＲＥが削減されている例を示すが、低周波数側と高周波数側において異なる数のＲＥが削減されてもよい。あるいは、低周波数側と高周波数側のいずれ一方においてＲＥが削減されてもよい。
【０１１１】
また、図１１および図１２では、Ａ−ＷＵＳ＃１〜＃３において削減されたＲＥの数が、互いに同一である例を示したが、本開示はこれに限定されない。例えば、Ａ−ＷＵＳ毎に、削減するＲＥの数を変えてもよい。Ａ−ＷＵＳ毎に削減するＲＥの数を変えることは、Ａ−ＷＵＳ毎に使用するＲＥの数を変えることに相当してもよい。例えば、ＵＥグループＩＤと、削減するＲＥの数または使用するＲＥの数とが関連付けられてもよい。この場合、ＵＥグループＩＤが、削減するＲＥの数または使用するＲＥの数によって示されてもよい。
【０１１２】
また、図１１および図１２では、Ａ−ＷＵＳ＃１〜＃３において削減されたＲＥの位置が、互いに同一である例を示したが、本開示はこれに限定されない。例えば、Ａ−ＷＵＳ毎に、削減するＲＥの位置を変えてもよい。Ａ−ＷＵＳ毎に削減するＲＥの位置を変えることは、Ａ−ＷＵＳ毎に使用するＲＥの位置を変えることに相当してもよい。例えば、ＵＥグループＩＤと、削減するＲＥの位置または使用するＲＥの位置とが関連付けられてもよい。この場合、ＵＥグループＩＤが、削減されたＲＥの位置または使用するＲＥの位置によって示されてもよい。
【０１１３】
あるいは、Ａ−ＷＵＳ毎に削減するＲＥの位置および数の少なくとも一方を変えることによって、ＵＥグループＩＤが、削減されたＲＥの位置および数の組み合わせによって示されてもよい。あるいは、Ａ−ＷＵＳ毎に使用するＲＥの位置および数の少なくとも一方を変えることによって、ＵＥグループＩＤが、使用するＲＥの位置および数の組み合わせによって示されてもよい。
【０１１４】
また、図１１および図１２では、Ａ−ＷＵＳ＃１〜＃３が、周波数方向に連続するＲＥによって構成される例を示したが、本開示はこれに限定されない。Ａ−ＷＵＳは、離散的に位置するＲＥによって構成されてもよい。例えば、Ａ−ＷＵＳ毎に、ＲＥの位置を変えてもよい。例えば、ＵＥグループＩＤと、離散的なＲＥの位置のパターンとが関連付けられることにより、ＵＥグループＩＤが、当該パターンの違いによって示されてもよい。
【０１１５】
なお、図９および図１０では、Ａ−ＷＵＳが、Ｌ−ＷＵＳと同一のサイズ（同数のＲＥ）を有する例を示し、図１１および図１２では、Ａ−ＷＵＳが、Ｌ−ＷＵＳよりも小さいサイズ（少ない数のＲＥ）を有する例を示したが、本開示はこれに限定されない。Ａ−ＷＵＳに使用されるＲＥの数が、Ｌ−ＷＵＳに使用されるＲＥの数よりも多くてもよい。この場合、Ａ−ＷＵＳに用いられる系列は、Ｌ−ＷＵＳに用いられる系列を拡張した系列であってよい。系列の拡張方法については、限定されないが、例えば、Ｌ−ＷＵＳに用いられる系列の一部を巡回シフトさせることによって、Ｌ−ＷＵＳに用いられる系列を拡張してよい。
【０１１６】
なお、図９〜図１２では、Ａ−ＷＵＳ＃１〜＃３がＴＤＭを用いて多重される例を示したが、本開示はこれに限定されない。以下では、Ａ−ＷＵＳ＃１〜＃３がＦＤＭを用いて多重される例を説明する。
【０１１７】
図１３は、本実施の形態におけるＷＵＳの第８の例を示す図である。図１４は、本実施の形態におけるＷＵＳの第９の例を示す図である。
【０１１８】
図１３および図１４の横軸は、時間を示し、縦軸は周波数を示す。図１３および図１４では、Ｌ−ＷＵＳと、Ｌ−ＷＵＳよりも後のタイミングに設定されるＡ−ＷＵＳと、Ａ−ＷＵＳよりも後のタイミングに設定されるＰＯと、が示される。なお、Ｌ−ＷＵＳおよびＡ−ＷＵＳは、ＰＯに関連付けられている。
【０１１９】
また、Ａ−ＷＵＳ＃１〜＃３は、同一の時間（例えば、同一のシンボル）においてＦＤＭを用いて多重される。なお、図１４では、図示の便宜上、同一の時間（例えば、同一のシンボル）に含まれるＲＥが、時間方向にシフトさせて示される。
【０１２０】
そして、Ｌ−ＷＵＳとＡ−ＷＵＳとにおいて、周波数方向において区切られた１つの矩形は、図９と同様に、例えば、１つのＲＥを示す。
【０１２１】
図１３および図１４において、Ｌ−ＷＵＳとＡ−ＷＵＳに含まれる各ＲＥの表示態様は、ＷＵＳに用いられた系列の要素の一例を示す。例えば、同一の表示態様は、ＷＵＳに用いられた系列の要素が同一であることを示す。図１３および図１４に示すＬ−ＷＵＳとＡ−ＷＵＳとは、同一の系列が用いられている。
【０１２２】
そして、Ａ−ＷＵＳ＃１〜＃３のそれぞれに関連付けられるＵＥグループは、ＵＥグループＩＤによって識別される。図１３および図１４において、ＵＥグループＩＤは、Ｌ−ＷＵＳに対する、Ａ−ＷＵＳの周波数方向の配置によって示される。
【０１２３】
例えば、図１３のＡ−ＷＵＳ＃１は、Ｌ−ＷＵＳの低周波数側の４サブキャリア分に相当する。Ａ−ＷＵＳ＃３は、Ｌ−ＷＵＳの高周波数側の４サブキャリア分に相当する。Ａ−ＷＵＳ＃２は、Ａ−ＷＵＳ＃１とＡ−ＷＵＳ＃２との間の周波数の４サブキャリア分に相当する。
【０１２４】
例えば、図１４のＡ−ＷＵＳ＃１〜Ａ−ＷＵＳ＃３は、互いに異なるサブキャリアのＲＥを含む。図１４のＡ−ＷＵＳ＃１〜Ａ−ＷＵＳ＃３は、それぞれ、周波数方向において、くし状（Comb）に並ぶＲＥを含む。
【０１２５】
Ｒｅｌ．１６−ＵＥは、Ｌ−ＷＵＳを受信し、Ｌ−ＷＵＳを用いてチャネル推定を行う。Ｒｅｌ．１６−ＵＥは、チャネル推定結果に基づいて、Ｌ−ＷＵＳに対するＡ−ＷＵＳの周波数方向の配置を推定する。そして、Ｒｅｌ．１６−ＵＥは、推定した配置がＲｅｌ．１６−ＵＥの属するＵＥグループのＵＥグループＩＤに関連付けられた配置である場合、受信したＡ−ＷＵＳがＲｅｌ．１６−ＵＥの属するＵＥグループに関連付けられていると決定する。
【０１２６】
Ｒｅｌ．１６−ＵＥは、Ｌ−ＷＵＳを用いて推定したチャネル推定結果を用いることにより、チャネル変動の影響を抑制でき、Ｌ−ＷＵＳに対するＡ−ＷＵＳの周波数方向の配置の推定の精度を向上できる。また、Ｌ−ＷＵＳとＡ−ＷＵＳとの間で同一の系列が用いられるため、検出処理を簡易にできる。そのため、ロバストで簡易なＡ−ＷＵＳの検出処理を行うことができる。
【０１２７】
なお、Ａ−ＷＵＳの検出処理において、Ｌ−ＷＵＳとＡ−ＷＵＳとの相互相関を用いてもよい。
【０１２８】
例えば、Ｒｅｌ．１６−ＵＥは、Ｌ−ＷＵＳとＡ−ＷＵＳとを受信し、Ｌ−ＷＵＳとＡ−ＷＵＳとの相互相関を算出することによって、Ｌ−ＷＵＳに対する、Ａ−ＷＵＳの周波数方向の配置を推定する。Ｒｅｌ．１６−ＵＥは、推定した配置がＲｅｌ．１６−ＵＥの属するＵＥグループのＵＥグループＩＤに対応する配置である場合、受信したＡ−ＷＵＳがＲｅｌ．１６−ＵＥの属するＵＥグループに関連付けられていると決定する。
【０１２９】
Ｒｅｌ．１６−ＵＥは、Ｌ−ＷＵＳとＡ−ＷＵＳとの相互相関を用いてＬ−ＷＵＳに対するＡ−ＷＵＳの配置を推定できるため、簡易なＡ−ＷＵＳの検出処理を行うことができる。
【０１３０】
なお、Ａ−ＷＵＳの検出処理において、Ｒｅｌ．１６−ＵＥは、Ｌ−ＷＵＳを用いて推定したチャネル推定結果と、Ｌ−ＷＵＳとＡ−ＷＵＳとの相互相関との両方を用いて、Ａ−ＷＵＳの検出を行ってもよい。
【０１３１】
以上、説明したように、Ａ−ＷＵＳは、Ｌ−ＷＵＳに基づいて、位相量、周波数方向のシフト量、サイズ（ＲＥの数）および周波数方向の位置等のＡ−ＷＵＳのパラメータを変更してよい。そして、各Ａ−ＷＵＳと関連付けられるＵＥグループＩＤは、Ｌ−ＷＵＳに基づいて変更したＡ−ＷＵＳのパラメータの少なくとも１つによって示されてもよい。
【０１３２】
なお、上述の例では、Ｒｅｌ．１６−ＵＥは、Ａ−ＷＵＳの検出結果に基づいて、ＰＯのモニタリング処理を行うか否かを決定したが、本開示はこれに限定されない。例えば、Ｒｅｌ．１６−ＵＥは、Ｌ−ＷＵＳとＡ−ＷＵＳの検出結果に基づいて、ＰＯのモニタリング処理を行うか否かを決定してもよい。
【０１３３】
例えば、Ａ−ＷＵＳに関連付けられるＵＥグループＩＤに関わらず、Ｌ−ＷＵＳの検出の有無によって、Ｒｅｌ．１６−ＵＥの動作が規定されてもよい。また、例えば、Ｌ−ＷＵＳの検出の有無と、Ａ−ＷＵＳに関連付けられるＵＥグループＩＤとの組み合わせによって、Ｒｅｌ．１６−ＵＥの動作が規定されてもよい。例えば、Ｒｅｌ．１６−ＵＥは、受信したＡ−ＷＵＳがＲｅｌ．１６−ＵＥの属するＵＥグループに関連付けられている場合でも、Ｌ−ＷＵＳの検出の有無に応じて動作を変更してもよい。
【０１３４】
なお、Ｒｅｌ．１６−ＵＥがＬ−ＷＵＳとＡ−ＷＵＳとを検出する場合において、例えば、Ｌ−ＷＵＳおよびＡ−ＷＵＳは、それぞれ、第１のＷＵＳ（first WUS）および第２のＷＵＳ（second WUS）と称されてよい。
【０１３５】
図１５は、本実施の形態における、Ｌ−ＷＵＳとＡ−ＷＵＳとＵＥの動作の関係の第１の例を示す図である。
【０１３６】
図１５には、Ｌ−ＷＵＳの検出の有無と、Ａ−ＷＵＳに関連付けられるＵＥグループＩＤと、レガシーＵＥの動作と、Ｒｅｌ．１６−ＵＥの動作との対応関係が表形式を用いて示される。
【０１３７】
図１５の「Ｌ−ＷＵＳ」の列において、「ＯＮ」は、Ｌ−ＷＵＳが検出された場合を示し、「ＯＦＦ」は、Ｌ−ＷＵＳが検出されない場合を示す。なお、Ｌ−ＷＵＳが検出されない場合とは、Ｌ−ＷＵＳが送信されない場合、および、送信されたＬ−ＷＵＳの検出に失敗した場合とを含む。なお、Ｌ−ＷＵＳにおける「ＯＮ」および「ＯＦＦ」は、Ｌ−ＷＵＳに関連付けられるＩＤと捉えてもよい。
【０１３８】
図１５の「Ａ−ＷＵＳ」の列において、「ＯＦＦ」は、Ａ−ＷＵＳが検出されない場合を示す。なお、Ａ−ＷＵＳが検出されない場合とは、Ａ−ＷＵＳが送信されない場合、および、送信されたＡ−ＷＵＳの検出に失敗した場合を含む。
【０１３９】
図１５の「Ａ−ＷＵＳ」の列において、「１」〜「Ｎ＿ｍａｘ」は、Ａ−ＷＵＳに関連付けられるＵＥグループＩＤに対応する。図１５では、ＵＥグループの数が、Ｎ＿ｍａｘである。図  では、Ｎ＿ｍａｘ個のＵＥグループに対して、それぞれ、「１」〜「Ｎ＿ｍａｘ」のＵＥグループＩＤが付されている。
【０１４０】
図１５に示すレガシーＵＥの動作について説明する。レガシーＵＥは、Ｌ−ＷＵＳを検出しない場合、ＰＯをモニタしない。そして、レガシーＵＥは、Ｌ−ＷＵＳを検出した場合、ＰＯをモニタする。
【０１４１】
図１５に示すＲｅｌ．１６−ＵＥの動作について説明する。なお、一例として、Ｒｅｌ．１６−ＵＥが、ＵＥグループ＃１に属する例を説明する。
【０１４２】
ＵＥグループ＃１に属するＲｅｌ．１６−ＵＥは、Ｌ−ＷＵＳを検出しない場合、ＵＥグループＩＤ＃１に関連付けられたＡ−ＷＵＳを検出したか否かに関わらず、ＰＯをモニタしない。また、ＵＥグループ＃１に属するＲｅｌ．１６−ＵＥは、Ｌ−ＷＵＳを検出し、かつ、ＵＥグループＩＤ＃１に関連付けられたＡ−ＷＵＳを検出した場合、ＰＯをモニタする。また、ＵＥグループ＃１に属するＲｅｌ．１６−ＵＥは、Ｌ−ＷＵＳを検出し、かつ、ＵＥグループＩＤ＃１に関連付けられたＡ−ＷＵＳを検出しない場合、ＰＯをモニタしない。
【０１４３】
なお、Ｒｅｌ．１６−ＵＥが、ＵＥグループＩＤ＃１に関連付けられたＡ−ＷＵＳを検出しない場合とは、Ｒｅｌ．１６−ＵＥが、ＵＥグループＩＤ＃１と異なるＵＥグループＩＤに関連付けられたＡ−ＷＵＳを検出した場合を含んでよい。
【０１４４】
図１６は、本実施の形態における、Ｌ−ＷＵＳとＡ−ＷＵＳとＵＥの動作の関係の第２の例を示す図である。
【０１４５】
図１６は、図１５に対して、Ｌ−ＷＵＳが「ＯＮ」、かつ、Ａ−ＷＵＳが「ＯＦＦ」に関連付けられるＲｅｌ．１６−ＵＥの動作が異なる。以下、この相違点の動作を説明する。
【０１４６】
Ｒｅｌ．１６−ＵＥは、Ｌ−ＷＵＳを検出し、かつ、Ａ−ＷＵＳを検出しない場合、Ｒｅｌ．１６−ＵＥの属するＵＥグループに関わらず、ＰＯをモニタする。別言すれば、Ｌ−ＷＵＳが「ＯＮ」、かつ、Ａ−ＷＵＳが「ＯＦＦ」に関連付けられるＲｅｌ．１６−ＵＥは、全てのＵＥグループのＵＥがＰＯをモニタする。
【０１４７】
上述したように、Ｌ−ＷＵＳの検出の有無と、Ａ−ＷＵＳに関連付けられるＵＥグループＩＤとの組み合わせによって、Ｒｅｌ．１６−ＵＥの動作が規定されてもよい。
【０１４８】
なお、上述した例では、ＵＥグループＩＤと、ＷＵＳ  ＩＤとが、１対１で関連付けられる例を説明したが、本開示はこれに限定されない。例えば、複数のＵＥグループＩＤに対してＷＵＳ  ＩＤが関連付けられてもよい。
【０１４９】
図１７は、本実施の形態におけるＵＥグループと、ＷＵＳ  ＩＤとの関連付けの第１の例を示す図である。
【０１５０】
図１７において、例えば、ＵＥグループ＃１〜＃３に関連付けられるＷＵＳ  ＩＤは、それぞれ、「１」〜「３」である。また、ＵＥグループ＃１とＵＥグループ＃２との組み合わせに関連付けられるＷＵＳ  ＩＤは、「ＸＸ」である。また、ＵＥグループ＃１とＵＥグループ＃３との組み合わせに関連付けられるＷＵＳ  ＩＤは、「ＹＹ」である。また、全てのＵＥグループに関連付けられるＷＵＳ  ＩＤは、「ＺＺ」である。
【０１５１】
例えば、ＵＥグループＩＤとＷＵＳ  ＩＤとの関連付けに、図１７に示す例が適用され、かつ、無線基地局１０がＵＥグループ＃１のＵＥに「Ｗａｋｅ−Ｕｐ」の指示を行う場合、ＷＵＳ  ＩＤ＃１を関連付けたＡ−ＷＵＳを送信してよい。また、例えば、無線基地局１０は、ＵＥグループ＃１とＵＥグループ＃２とのＵＥに「Ｗａｋｅ−Ｕｐ」の指示を行う場合、ＷＵＳ  ＩＤ＃ＸＸを関連付けたＡ−ＷＵＳを送信してよい。
【０１５２】
なお、図１７に示す例が適用される場合、ＵＥグループ＃１のＵＥは、Ａ−ＷＵＳに関連付けられるＷＵＳ  ＩＤが、「１」、「ＸＸ」、「ＹＹ」、または、「ＺＺ」の場合に、ＰＯをモニタする。
【０１５３】
上述したように、複数のＵＥグループＩＤに対して１つのＷＵＳ  ＩＤが関連付けられることによって、無線基地局１０は、複数のＵＥグループのＵＥに「Ｗａｋｅ−Ｕｐ」の指示を行う場合に、複数のＡ−ＷＵＳを送信しなくてよい。そのため、複数のＡ−ＷＵＳがＣＤＭを用いて多重される場合の各Ａ−ＷＵＳの送信電力の低下を抑制できる。また、複数のＡ−ＷＵＳがＴＤＭを用いて多重される場合の時間のオーバヘッドの増加を抑制できる。
【０１５４】
なお、図１７の例では、１つのＷＵＳ  ＩＤが、１以上のＵＥグループＩＤに関連付けられる例を示した。次に、２つのＡ−ＷＵＳそれぞれに関連付けられたＷＵＳ  ＩＤの組み合わせが、１以上のＵＥグループに関連付けられる例を説明する。
【０１５５】
図１８は、本実施の形態におけるＵＥグループと、ＷＵＳ  ＩＤとの関連付けの第２の例を示す図である。
【０１５６】
図１８には、２つのＷＵＳ  ＩＤ（ＷＵＳ  ＩＤ（１）およびＷＵＳ  ＩＤ（２））と、ＵＥグループＩＤの組み合わせと、の関連付けの例が示される。なお、ＷＵＳ  ＩＤ（１）に関連付けられたＡ−ＷＵＳと、ＷＵＳ  ＩＤ（２）に関連付けられたＡ−ＷＵＳとは、ＴＤＭ、ＦＤＭ、および、ＣＤＭのいずれかを用いて多重される。
【０１５７】
なお、例えば、ＷＵＳ  ＩＤ（１）に関連付けられたＡ−ＷＵＳは、第１のＡ−ＷＵＳ（first A-WUS）と称されてよい。また、ＷＵＳ  ＩＤ（２）に関連付けられたＡ−ＷＵＳは、第２のＡ−ＷＵＳ（second A-WUS）と称されてよい。
【０１５８】
図１８において、例えば、ＵＥグループ＃１に関連付けられるＷＵＳ  ＩＤ（１）およびＷＵＳ  ＩＤ（２）は、それぞれ、「１」および「１」である。また、例えば、ＵＥグループ＃１とＵＥグループ＃２との組み合わせに関連付けられるＷＵＳ  ＩＤ（１）およびＷＵＳ  ＩＤ（２）は、それぞれ、「ＸＸ」および「ＸＸ」である。なお、以下の説明において、例えば、ＷＵＳ  ＩＤ（１）＃ｉ（ｉは、例えば、１以上の整数）は、ＷＵＳ  ＩＤ（１）が「ｉ」であることを示し、ＷＵＳ  ＩＤ（２）＃ｉは、ＷＵＳ  ＩＤ（２）が「ｉ」であることを示す。
【０１５９】
例えば、図１８に示す例が適用され、かつ、無線基地局１０がＵＥグループ＃１のＵＥに「Ｗａｋｅ−Ｕｐ」の指示を行う場合、ＷＵＳ  ＩＤ（１）＃１を関連付けた第１のＡ−ＷＵＳと、ＷＵＳ  ＩＤ（２）＃１を関連付けた第２のＡ−ＷＵＳを送信してよい。また、例えば、無線基地局１０がＵＥグループ＃１とＵＥグループ＃２とのＵＥに「Ｗａｋｅ−Ｕｐ」の指示を行う場合、ＷＵＳ  ＩＤ（１）＃ＸＸを関連付けた第１のＡ−ＷＵＳと、ＷＵＳ  ＩＤ（２）＃ＸＸを関連付けた第２のＡ−ＷＵＳを送信してよい。
【０１６０】
上述したように、ＷＵＳ  ＩＤの組み合わせが、１以上のＵＥグループと関連付けられることによって、ＷＵＳ  ＩＤの数を削減できるため、Ａ−ＷＵＳの検出処理に係る負荷を抑えることができる。
【０１６１】
例えば、ＷＵＳ  ＩＤと対応付けられるＵＥグループの組み合わせが９パターンの場合を例に挙げて説明する。１つのＷＵＳ  ＩＤと９パターンのＵＥグループの組み合わせとを関連付ける場合、少なくとも９個のＷＵＳ  ＩＤが用いられる。一方で、２つのＷＵＳ  ＩＤの組み合わせと９パターンのＵＥグループの組み合わせとを対応付ける場合、少なくとも３個のＷＵＳ  ＩＤが用いられるため、ＷＵＳ  ＩＤの数を削減できる。
【０１６２】
なお、図１８には、２つのＷＵＳ  ＩＤの組み合わせの例を説明したが、本開示はこれに限定されない。例えば、３つ以上のＷＵＳ  ＩＤの組み合わせと、ＵＥグループの組み合わせとが関連付けられてもよい。
【０１６３】
また、上述したＷＵＳ  ＩＤの組み合わせの中に、Ａ−ＷＵＳが「ＯＦＦ」の場合、つまり、Ａ−ＷＵＳが検出されない場合が含まれてもよい。なお、Ａ−ＷＵＳが検出されない場合とは、Ａ−ＷＵＳが送信されない場合を含む。
【０１６４】
図１９は、本実施の形態におけるＵＥグループと、ＷＵＳ  ＩＤとの関連付けの第３の例を示す図である。
【０１６５】
図１９には、２つのＷＵＳ  ＩＤ（ＷＵＳ  ＩＤ（１）およびＷＵＳ  ＩＤ（２））と、ＵＥグループＩＤの組み合わせと、の関連付けの例が示される。
【０１６６】
図１９において、例えば、ＵＥグループ＃１に関連付けられるＷＵＳ  ＩＤ（１）およびＷＵＳ  ＩＤ（２）は、それぞれ、「１」および「ＯＦＦ」である。ここで、ＷＵＳ  ＩＤ（２）が、「ＯＦＦ」であることは、第２のＡ−ＷＵＳが検出されないことに相当する、と捉えてもよい。
【０１６７】
また、例えば、ＵＥグループ＃１とＵＥグループ＃２との組み合わせに対応付けられるＷＵＳ  ＩＤ（１）とＷＵＳ  ＩＤ（２）は、それぞれ、「ＯＦＦ」および「１」である。ここで、ＷＵＳ  ＩＤ（１）が、「ＯＦＦ」であることは、第１のＡ−ＷＵＳが検出されないことに相当する、と捉えてもよい。
【０１６８】
例えば、図１９に示す例が適用され、かつ、無線基地局１０がＵＥグループ＃１のＵＥに「Ｗａｋｅ−Ｕｐ」の指示を行う場合、第２のＡ−ＷＵＳを送信せず、ＷＵＳ  ＩＤ（１）＃１を関連付けた第１のＡ−ＷＵＳを送信してよい。また、例えば、無線基地局１０は、ＵＥグループ＃１とＵＥグループ＃２のＵＥに「Ｗａｋｅ−Ｕｐ」の指示を行う場合、第１のＡ−ＷＵＳを送信せず、ＷＵＳ  ＩＤ（２）＃１を関連付けた第２のＡ−ＷＵＳを送信してよい。
【０１６９】
また、上述したＷＵＳ  ＩＤの組み合わせの中に、Ａ−ＷＵＳが「ＯＦＦ」の場合が含まれることによって、ＷＵＳ  ＩＤの数を削減できるため、Ａ−ＷＵＳの検出処理に係る負荷を抑えることができる。
【０１７０】
以上、本開示の実施の形態について説明した。
【０１７１】
＜ハードウェア構成＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１７２】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【０１７３】
例えば、本開示の一実施の形態における基地局、ユーザ端末などは、本開示の無線通信方法の処理を行うコンピュータとして機能してもよい。図２０は、本開示の一実施の形態に係る基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７５】
無線基地局１０及びユーザ端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０１７６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１０３および制御部２０３などは、プロセッサ１００１によって実現されてもよい。
【０１７７】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、無線基地局１０の制御部１０３および／またはユーザ端末２０の制御部２０３は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０１７８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１７９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【０１８０】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送信部１０１、受信部１０２、送信部２０１および受信部２０２などは、通信装置１００４によって実現されてもよい。
【０１８１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１８２】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８３】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０１８４】
（情報の通知、シグナリング）
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１８５】
（適用システム）
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１８６】
（処理手順等）
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１８７】
（基地局の動作）
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０１８８】
（入出力の方向）
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１８９】
（入出力された情報等の扱い）
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１９０】
（判定方法）
判定は、１ビットで表される値（０か１か）によって行われてもよいし、真偽値（Boolean：true又はfalse）によって行われてもよいし、数値の比較（例えば、所定の値との比較）によって行われてもよい。
【０１９１】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１９３】
（情報、信号）
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１９５】
（「システム」、「ネットワーク」）
本開示において使用する「システム」及び「ネットワーク」という用語は、互換的に使用される。
【０１９６】
（パラメータ、チャネルの名称）
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１９７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１９８】
（基地局（無線基地局））
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１９９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２００】
（端末）
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２０１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０２０２】
（基地局／移動局）
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２０３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０２０４】
同様に、本開示におけるユーザ端末は、基地局で読み替えてもよい。この場合、上述のユーザ端末２０が有する機能を基地局１０が有する構成としてもよい。
【０２０５】
（用語の意味、解釈）
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０２０６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０２０７】
参照信号は、ＲＳ（Reference  Signal）と略称することもでき、適用される標準によってパイロット（Pilot）と呼ばれてもよい。
【０２０８】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２０９】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０２１０】
上記の各装置の構成における「手段」を、「部」、「回路」、「デバイス」等に置き換えてもよい。
【０２１１】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０２１２】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジー（numerology）に依存しない固定の時間長（例えば、１ｍｓ）であってもよい。
【０２１３】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２１４】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０２１５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０２１６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０２１７】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１８】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２２０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２２２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２２３】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２２４】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０２２５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２２７】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２２８】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２２９】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２３０】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２３１】
本開示に記載の「最大送信電力」は、送信電力の最大値を意味してもよいし、公称最大送信電力(the  nominal  UE  maximum  transmit  power)を意味してもよいし、定格最大送信電力(the  rated  UE  maximum  transmit  power)を意味してもよい。
【０２３２】
本開示において、例えば、英語でのa,  an及びtheのように、翻訳により冠詞が追加された場合、本開示は、これらの冠詞の後に続く名詞が複数形であることを含んでもよい。
【０２３３】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２３４】
(態様のバリエーション等)
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０２３５】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【産業上の利用可能性】
【０２３６】
本開示の一態様は、無線通信システムに有用である。
【符号の説明】
【０２３７】
１０  無線基地局
２０  ユーザ端末
１０１、２０１  送信部
１０２、２０２  受信部
１０３、２０３  制御部
【図１】
2020065885.tif 000003
【図２】
2020065885.tif 000004
【図３】
2020065885.tif 000005
【図４】
2020065885.tif 000006
【図５】
2020065885.tif 000007
【図６】
2020065885.tif 000008
【図７】
2020065885.tif 000009
【図８】
2020065885.tif 000010
【図９】
2020065885.tif 000011
【図１０】
2020065885.tif 000012
【図１１】
2020065885.tif 000013
【図１２】
2020065885.tif 000014
【図１３】
2020065885.tif 000015
【図１４】
2020065885.tif 000016
【図１５】
2020065885.tif 000017
【図１６】
2020065885.tif 000018
【図１７】
2020065885.tif 000019
【図１８】
2020065885.tif 000020
【図１９】
2020065885.tif 000021
【図２０】
2020065885.tif 000022
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
時間方向及び周波数方向の少なくとも１つにおいて、第１のWake Up Signal（WUS）のリソースと異なるリソースに配置される第２のWUSをモニタする制御部と、
前記第２のWUSに基づいてPaging Occasionを受信する受信部と、
を備えた端末。
【請求項２】
前記第２のWUSのリソースは、前記第１のWUSのリソースに基づく、
請求項１に記載の端末。
【請求項３】
前記受信部は、前記第１のWUSのリソースの周波数位置に基づく前記第２のWUSのリソースにおける周波数位置に関する情報を受信し、
前記第２のWUSのリソースにおける周波数位置は、前記情報に基づいて設定される複数の周波数位置の候補の１つである、
請求項２に記載の端末。
【請求項４】
前記第２のWUSのリソースにおける時間位置は、前記第１のWUSのリソースにおける時間位置からの時間区間によって決まる、
請求項２に記載の端末。
【請求項５】
前記第２のWUSは、前記第１のWUSと共通の系列を含む、
請求項１に記載の端末。
【請求項６】
前記第２のWUSは、前記端末に設定されるグループに応じて送信されるgroup Wake Up Signalであり、
前記第１のWUSは、前記第２のWUSが使用されない場合にモニタされる、
請求項１に記載の端末。
【請求項７】
時間方向及び周波数方向の少なくとも１つにおいて、第１のWake Up Signal（WUS）のリソースと異なるリソースに配置される第２のWUSをモニタし、
前記第２のWUSに基づいてPaging Occasionを受信する、
無線通信方法。
【請求項８】
時間方向及び周波数方向の少なくとも１つにおいて、第１のWake Up Signal（WUS）のリソースと異なるリソースに配置される第２のWUSをモニタする制御部と、
前記第２のWUSに基づいてPaging Occasionを受信する受信部と、
を備えた端末と、
前記第２のWUSと、前記Paging Occasionとを送信する送信部を備えた基地局と、
を備えた無線通信システム。
【手続補正３】
【補正対象書類名】明細書
【補正対象項目名】０００１
【補正方法】変更
【補正の内容】
【０００１】
本開示は、端末、無線通信方法及び無線通信システムに関する。
【手続補正４】
【補正対象書類名】明細書
【補正対象項目名】０００７
【補正方法】変更
【補正の内容】
【０００７】
本開示の目的は、互換性（compatibility）を担保可能なＷＵＳを設定できる端末、無線通信方法及び無線通信システムを提供することにある。
【国際調査報告】
2020065885.tif 000023
2020065885.tif 000024
2020065885.tif 000025
2020065885.tif 000026